(57)【要約】【課題】容易に一定量の飲料を飲むことのできるコンパクトな飲料容器を提供する。【解決手段】飲料を貯留する貯水槽を有する半球状の底部材と、飲料の飲み口を備えた中間貯水槽及び前記貯水槽から一動作で一定量の飲料を該中間貯水槽に給水するポンプ部を備えた中間部材と、前記中間貯水槽及びポンプ部を覆い保護する半球状の蓋部材とからなり、前記蓋部材及び前記底部材を前記中間部材に取り付けた際、全体が略球状となるように構成された飲料容器を提供する。【選択図】図２
2019213763.tif 000002
【特許請求の範囲】
【請求項１】
飲料を貯留する貯水槽を有する半球状の底部材と、
飲料の飲み口を備えた中間貯水槽及び前記貯水槽から一動作で一定量の飲料を該中間貯水槽に給水するポンプ部を備えた中間部材と、
前記中間貯水槽及びポンプ部を覆い保護する半球状の蓋部材とからなり、
前記蓋部材及び前記底部材を前記中間部材に取り付けた際、全体が略球状となるように構成された飲料容器。
【請求項２】
前記ポンプ部は、その内部をピストンが摺動するシリンダと、前記ピストンを上方に付勢する付勢部材と、前記ピストンを下方に押圧するための押圧部材と、前記ピストンの動きに応じて、前記貯水槽から飲料を前記シリンダ内に吸水する吸水管と、前記ピストン内部に形成され前記シリンダ内の飲料を前記中間貯水槽に導く水路とから構成される請求項１に記載の飲料容器。
【請求項３】
前記中間貯水槽は、前記ポンプ部の所定回数分の動作に対応する飲料を貯留することができる請求項１または２に記載の飲料容器。
【請求項４】
前記蓋部材は、取り外すと飲料を飲むためのコップとして使用可能な請求項１〜３のいずれか１項に記載の飲料容器。
【請求項５】
前記底部材は、取り外して前記貯水槽の飲料を直接飲むことができる請求項１〜４のいずれか１項に記載の飲料容器。
【請求項６】
前記中間貯水槽に設けられた飲み口には、閉じたときには飲み口の蓋となるとともに、開いたときには飲むときのガイドとなる飲み口部材が設けられている請求項１〜５のいずれか１項に記載の飲料容器。
【発明の詳細な説明】
【技術分野】
【０００１】
本発明は、飲料容器に関する。
【背景技術】
【０００２】
従来、外出時に途中で水分補給等をするために、飲料の入った水筒を持ち歩くことが良く行われている。このような水筒として、例えばコップを付属させ、コップで水筒の飲料を飲むことができるようにしたコップ付き携帯水筒が知られている（例えば、特許文献１参照）。
【０００３】
特許文献１に開示されたコップ付き携帯水筒は、使用するときは、水筒の注ぎ口に設けられた栓レバーを開けて注ぎ口よりコップに飲料を注ぎ、コップに設けられたフックを水筒本体の外周壁に設けられた桟に嵌め差すことができるようになっており、使用後は栓の上からコップを被せて、さらにコップを蓋で覆い、保護するようにしている。
【０００４】
また、水筒の内容液を飲用するための飲み口部材を水筒の軸方向に進退させることにより出没可能に設けた飲み口付き水筒が知られている（例えば、特許文献２）。
【０００５】
特許文献２に記載された飲み口付き水筒は、蓋に対して回転自在となるように勘合され、飲み口付き水筒の上端部を覆うキャップ状をした回転部材の上端中央に開口部を形成し、この回転部材を蓋に対して回転させることにより飲み口部材が蓋に対して進退し、飲み口が蓋から出没するようにしている。
【先行技術文献】
【特許文献】
【０００６】
【特許文献１】特開２０１５−１０７２９６号公報
【特許文献２】特開平１１−３３２６４６号公報
【発明の概要】
【発明が解決しようとする課題】
【０００７】
しかし、上記特許文献に記載された水筒はいずれも、毎回ある決まった一定量の飲料を飲むということは考慮されておらず、その都度飲む飲料の量はまちまちになってしまい、コップや飲み口から毎回ある決まった一定量の飲料を飲むことは困難であった。
【０００８】
そこで本発明は、容易に一定量の飲料を飲むことのできるコンパクトな飲料容器を提供することを目的とする。
【課題を解決するための手段】
【０００９】
本発明は、上記目的を達成するため、飲料を貯留する貯水槽を有する半球状の底部材と、飲料の飲み口を備えた中間貯水槽及び前記貯水槽から毎回一定量の飲料を該中間貯水槽に給水するポンプ部を備えた中間部材と、前記中間貯水槽及びポンプ部を覆い保護する半球状の蓋部材とからなり、前記蓋部材及び前記底部材を前記中間部材に取り付けた際、全体が略球状となるように構成された飲料容器を提供する。
【発明の効果】
【００１０】
本発明によれば、容易に一定量の飲料を飲むことができるとともに飲料容器をコンパクトにすることができる。
【図面の簡単な説明】
【００１１】
【図１】図１は、本発明の実施の形態に係る飲料容器の一例を示す全体斜視図である。
【図２】図２は、本実施の形態に係る飲料容器の断面図である。
【図３】図３は、飲料容器から蓋部材を取り外した様子を示す全体斜視図である。
【図４】図４は、蓋部材を外し、押圧部材のストッパを外した状態を示す飲料容器の断面図である。
【図５】図５は、押圧部材を押し込んでピストンを押し下げた状態を示す飲料容器の断面図である。
【図６】図６は、シリンダと吸水管との間に設けられた弁の詳細を示す断面図であり、（ａ）は弁が閉じた状態、（ｂ）は弁が開いた状態を示す。
【図７】図７は、通水管に設けられた弁を示す断面図であり、（ａ）は弁が閉じた状態、（ｂ）は弁が開いた状態を示す。
【図８】図８は、通水管に設けられた弁にボールを用いた様子を示す断面図である。
【図９】図９は、吸水管の先端部にボールを用いた弁を設けた様子を示す断面図である。
【図１０】図１０は、中間貯水槽の開口に蓋を兼用する飲み口部材を取り付けた飲料容器を示す断面図である。
【図１１】図１１は、図１０における飲み口部材の周辺を拡大して示す断面図である。
【図１２】図１２は、飲み口部材の全体斜視図である。
【図１３】図１３は、飲み口部材を受け入れる中間貯水槽の開口を示す斜視図である。
【図１４】図１４は、開口に飲み口部材を取り付けた様子を示す斜視図である。
【図１５】図１５は、飲み口部材を開いた状態を示す斜視図である。
【発明を実施するための形態】
【００１２】
以下、本発明の実施の形態について図面を参照して説明する。
【００１３】
［本発明の実施の形態］
（水処理装置の構成）
図1は、本発明の実施の形態に係る飲料容器の一例を示す全体斜視図である。
【００１４】
図１に示すように、飲料容器１は、蓋部材２、中間部材３及び底部材４とから構成されている。蓋部材２及び底部材４は、略半球状に形成され、それぞれ上及び下から中間部材３に取り付けると、飲料容器全体として略球状をなすようになっている。
【００１５】
詳しくは後述するが、底部材４の内部は飲料を貯留する椀状の貯水槽となっており、中間部材３には、飲料の飲み口を備えた中間貯水槽と、底部材４の貯水槽に貯留された飲料を吸い上げて毎回一定量の飲料を中間貯水槽に給水するポンプ部が形成されている。蓋部材２は、これら中間部材３に形成された中間貯水槽やポンプ部を覆い、保護するためのものである。この蓋部材２も、ひっくり返すと椀状になっており、飲料を飲むためのコップとして使用することができる。
【００１６】
なお、飲料容器１を形成する各部の材質としては、特に限定されるものではないが、基本的に樹脂材料で形成することができる。また、特に繰り返しの使用等で負荷がかかる中間部材３等の部分には金属を用いるようにしてもよい。
【００１７】
図２は、本実施の形態に係る飲料容器１の断面図である。
【００１８】
図２に示すように、中間部材３は、平面視円形の平板３１の中央部に、シリンダ３２が形成され、このシリンダ３２の内部にピストン（可動部材）３３が、シリンダ内部３２１を液密に保ちながら図の上下方向に摺動するように嵌め込まれている。ピストン３３の上部は押圧部材３３１となっており、押圧部材３３１の上面は、蓋部材２の内周面に沿うように球面状に形成されている。
【００１９】
中間部材３の平板３１の上側のシリンダ３３の周囲には中間貯水槽３４が形成されている。中間貯水槽３４は、側面及び上面により完全に一つの部屋として形成されており、その一部に飲料を飲むための飲み口となる開口３４３が形成されている。また中間部材３の平板３１の略中央部には、シリンダ３２とは反対側に向かって吸水管３７が形成されている。これは底部材４内に貯留されている飲料をシリンダ内部３２１に吸い上げるためのものである。
【００２０】
中間貯水槽３４と押圧部材３３１の間にシリンダ３３を取り囲むようにコイルばね３３２が設けられている。コイルばね３３２は、例えばステンレス等の金属材料で形成され、押圧部材３３１（及びピストン３３）を図の上方に付勢している。図２は、押圧部材３３１を下まで押し込んでコイルばね３３２が圧縮された状態を示している。
【００２１】
また、ピストン３３の内部には、ピストン３３が上下に摺動する軸方向に沿って通水管３３４が形成されている。通水管３３４はピストン３３内を上に延び、押圧部材３３１内で略直角に曲がり、真っ直ぐ下に延びる放水管３３５に繋がっている。放水管３３５は、中間貯水槽３４に形成された貫通孔３４２内を、押圧部材３３１及びピストン３３と共に上下に移動するようになっている。シリンダ内３２１の飲料は、これら通水管３３４及び放水管３３５からなる水路により中間貯水槽３４に給水される。
【００２２】
押圧部材３３１（及びコイルばね３３２）によってピストン３３を上下に往復運動させることにより、底部材４内に貯留された飲料がシリンダ内部３２１に吸い上げられ、さらに通水管３３４及び放水管３３５を介して中間貯水槽３４に供給される。すなわち、ピストン３３の一動作としての一回の往復運動により一定量の飲料が底部材４の貯水槽から中間貯水槽３４に給水される。このように、押圧部材３３１、コイルばね３３２及びピストン３３と各水路等によりポンプ部が形成される。中間貯水槽３４に供給された飲料は、中間貯水槽３４の一部に設けられた飲み口である開口３４３から飲むことができる。
【００２３】
ピストン３３内部に形成された通水管３３４には弁３３４ｂが形成され、また吸水管３７には弁３７ｂがされている。これらの弁３３４ｂ、３７ｂは、上記ピストン３３の移動により、底部材４内の飲料を中間貯水槽３４に供給する際に、飲料が逆流することなく、きちんと供給されるように作用する。この作用について詳しくは後述する。
【００２４】
中間貯水槽３４の上部には図の左右に移動可能な棒状のストッパ３８が設けられている。また押圧部材３３１にはストッパ３８が係合する凹部３３１ａが設けられている。そして図２に示すように、押圧部材３３１を押し込んだ状態で、ストッパ３８をこの凹部３３１ａに差し込んで、押圧部材３３１（及びピストン３３）を（図の下方に押し込んだ状態で）保持することができる。このように押圧部材３３１を押し込んだ状態で保持することにより、飲料容器１全体をよりコンパクトにすることができる。
【００２５】
またピストン３３の外周の一か所には、ピストン３３の軸方向に、真っ直ぐな溝３３３が形成され、シリンダ３２の内周の一部には、この溝３３３と勘合するような突起３４１が形成されている。そして溝３３３がこの突起３４１と勘合するようにピストン３３が上下に移動することで、ピストン３３（及び押圧部材３３１）の軸方向の周りの回転が規制される。
【００２６】
中間貯水槽３４の外周側には環状の境界部３５が形成され、その上側と下側には、ねじ３４ａ、３４ａが形成されている。また蓋部材２の端部内周側にはねじ２ａが形成され、底部材４の端部内周側にもねじ４ａが形成されている。蓋部材２及び底部材４を中間部材３に取り付ける際には、これらのねじ２ａ及び４ａをそれぞれ境界部３５の上下に形成されたねじ３４ａ、３４ａに嵌め合わせて取り付けることができる。
【００２７】
なお、図２では中間部材３の各部はすべて一体的に形成されているように表示されているが、実際の製造工程においては、適宜各部を別部材として形成して、これらを組み合わせて構成することが好ましい。
【００２８】
この飲料容器１に、飲料を保持する際には、一旦底部材４を中間部材３から取り外して、底部材４内部の椀状の貯水槽に飲料を注ぎ、飲料を満たした底部材４をそのまま中間部材３に取り付ければよい。
【００２９】
図３は、図１の飲料容器１から蓋部材２を取り外した様子を示す全体斜視図である。
【００３０】
図３は、蓋部材２を取り外した飲料容器１を中間貯水槽３４に形成された飲み口用の開口３４３側から見たものである。中間貯水槽３４に形成された貫通孔３４２を通過して中間貯水槽３４に延びた放水管３３５が開口３４３内に見えている。また、中間部材３の境界部３５の上側には今まで蓋部材２のねじ２ａと嵌めあわされていたねじ３４ａも見えている。
【００３１】
以下、底部材４内部に飲料を満たし、蓋部材２を外した状態で、この飲料容器１から飲料を飲む際の作用について説明する。
【００３２】
図４は、飲料容器１の蓋部材２を外し、押圧部材３３１のストッパ３８を外した状態を示す断面図である。
【００３３】
飲料容器１の蓋部材２を外した状態で、まず棒状のストッパ３８を押圧部材３３１の凹部３３１ａから外すと、コイルばね３３２の付勢力により押圧部材３３１及びピストン３３が上方に移動する。ストッパ３８を外すときは押圧部材３３１を上から抑えておくとよい。なおこのとき、通水管３３４の弁３３４ｂは閉じ、吸水管３７の弁３７ｂは開くようになっている。ピストン３３が上方に移動すると、シリンダ内部３２１の圧力が下がり、底部材４の貯水槽から飲料が吸水管３７を通ってシリンダ内部３２１に吸い上げられる。
【００３４】
このとき、ピストン３３を最も押し込んだ状態から、コイルばね３３２によって最も上昇するまでの移動によってシリンダ内部３２１に吸い上げられる飲料の量は常に一定量となるように調整されている。
【００３５】
ストッパ３８を外してコイルばね３３２の付勢力により押圧部材３３１及びピストン３３が上方に移動し、シリンダ内部３２１に飲料が吸い上げられたら、次に押圧部材３３１を手で下に押し込む。
【００３６】
図５は、押圧部材３３１を押し込んでピストン３３を押し下げた状態を示す断面図である。
【００３７】
押圧部材３３１を押し込むことによりピストン３３が下方へ移動すると、シリンダ内部３２１の圧力が増加する。すると、通水管３３４の弁３３４ｂが開き、シリンダ内部３２１の飲料が通水管３３４から放水管３３５の方へ供給される。このとき、吸水管３７の弁３７ｂはシリンダ内部３２１の圧力により閉じている。
【００３８】
ピストン３３が下方へ移動すると、放水管３３５も同じく下方へ移動し、放水管３３５から中間貯水槽３４に飲料が供給される。このときピストン３３の下方への移動量に応じて、シリンダ内部３２１の飲料の一定量（例えば２０ｍｌ）が中間貯水槽３４に供給される。
【００３９】
中間貯水槽３４に飲料が供給されたら、飲み口である中間貯水槽３４の開口３４３から飲むことができる。
【００４０】
このとき、中間貯水槽３４には、ポンプ部の一動作としてのピストン３３の一回の往復運動で得られる一定量の飲料の所定整数倍の飲料を貯留することができる。
【００４１】
この数値は設計により変えることができる。例えば、中間貯水槽３４には、ビストン３３の３往復分（ポンプ部の３動作分）の飲料を保持することができる。このとき一例として、底部材４の貯水槽には２５０ｍｌの飲料を貯留することができ、押圧部材３３１の押し下げ一回分で中間貯水槽３４に２０ｍｌ供給することができるとすると、ピストン３３の３回往復分の６０ｍｌまで中間貯水槽３４に保持することができる。
【００４２】
これにより、この飲料容器１を用いることにより、２０ｍｌ、４０ｍｌ及び６０ｍｌの一定量の飲料を、特に計測することなく、単に押圧部材３３１を押し込む回数をそれぞれ１回、２回及び３回とするだけで飲むことができる。このように本飲料容器１を用いると、押圧部材３３１を押し込む回数に応じて、毎回一定量の飲料を飲むことができる。
【００４３】
また、より多くの飲料を一度に飲みたい場合には、外した蓋部材２をひっくり返してお椀として、ここに開口３４３から飲料を注ぎ、ある程度貯めてから飲むこともできる。さらに、より簡単に一度に多量の飲料を飲もうとする場合には、底部材４を外して、底部材４の貯水槽に貯留されている飲料を底部材４から直接飲むこともできる。
【００４４】
なお、中間貯水槽３４から飲料を飲む場合には、押圧部材３３１を押し込んだ際、ストッパ３８を押圧部材３３１の凹部３３１ａに差し込んで、押圧部材３３１が上昇しないように固定しておくとよい。そして、飲み終わった後は、押圧部材３３１を押し込みストッパ３８により固定した状態で蓋部材２を中間部材３に取り付ける。
【００４５】
本実施の形態の飲料容器１は、このように全体が略球状になるように形成することで全体をコンパクトにすることができ、持ち運びが容易となる。また、押圧部材３３１を押し込んだ状態で蓋部材２を取り付けることにより、飲料容器１全体をより一層コンパクトにすることができる。
【００４６】
図６は、シリンダ３２と吸水管３７との間に設けられた弁３７ｂの詳細を示す断面図であり、（ａ）は弁が閉じた状態、（ｂ）は弁が開いた状態を示す。
【００４７】
図６（ａ）に示すように、弁３７ｂは、吸水管３７がシリンダ３２と連通する開口部に設置されている。弁３７ｂは、シリンダ３２の底面をなす平板３１と吸水管３７との一方の境界に軸３７ｃの周りに回動可能に設けられる。また、弁３７ｂの先端部が、平板３１と吸水管３７との他方の境界に設けられた段差部３１ａに密着して弁３７ｂを閉じるようになっている。
【００４８】
すなわち図５に示すように、ピストン３３が下方へ移動する場合には、シリンダ内部３２１の圧力が増加するので、弁３７ｂの先端部が段差部３１ａに押し付けられて、弁３７ｂが閉じられる。
【００４９】
また図４に示すように、ピストン３３が上方に移動する場合には、シリンダ内部３２１の圧力が低下するので、弁３７ｂは軸３７ｃの周りに回動し、先端部が段差部３１ａから離れ、弁３７ｂが開くようになっている。
【００５０】
図７は、通水管３３４に設けられた弁３３４ｂを示す断面図であり、（ａ）は弁が閉じた状態、（ｂ）は弁が開いた状態を示す。
【００５１】
図７（ａ）に示すように、弁３３４ｂは、シリンダ３３に設けられた通水管３３４の入り口に設置されている。弁３３４ｂは、通水管３３４の一方の端部壁面に軸３３４ｃの周りに回動可能に設けられている。また、弁３３４ｂの先端部が通水管３３４の他方の端部壁面に設けられた桟３３ａに密着して弁３３４ｂを綴じるようになっている。
【００５２】
すなわち図４に示すように、ピストン３３が上方に移動する場合には、通水管３３４の内部の圧力よりもシリンダ内部３２１の圧力の方が低くなり、弁３３４ｂの先端部が桟３３ａに押し付けられて弁３３４ｂが閉じられる。
【００５３】
また、図５に示すように、ピストン３３が下方へ移動する場合には、通水管３３４の内部の圧力よりもシリンダ内部３２１の圧力の方が高くなり、弁３３４ｂの先端部が桟３３ａから離れて弁３３４ｂが開くようになっている。
【００５４】
なお、弁３７ｂ弁及び３３４ｂの構成は図６及び図７で説明したものに限定されるものではなく、他の構造のものであってもよい。例えば、ボールを用いたものであってもよい。
【００５５】
図８は、通水管３３４に設けられた弁３３４ｂにボールを用いた様子を示す断面図である。
【００５６】
図８に示すように、ピストン３３の通水管３３４の開口端部の全周に突起部３３ｂを設けボール３３４ｃが最下端に位置するときにはこのボール３３４ｃが突起部３３ｂと密着して通水管３３４が閉じられるようになっている。
【００５７】
また、ピストン３３が上方に移動するときには、シリンダ内部３２１の圧力増大によりボール３３４ｃが浮き上がり、通水管３３４が開き、飲料が流入するようになっている。なお、ボール３３４ｃの移動を一定の範囲に規制するために、通水管３３４の開口端部より少し内側に通水管３３４の周に沿って複数の突起３３ｄを設けておくことが好ましい。
【００５８】
また吸水管３７の弁３７ｂについても、これと同様にしてボールを用いることができる。なお、吸水管３７の場合、ボールを用いた弁を吸水管３７の先端部に設けるようにしてもよい。
【００５９】
図９は、吸水管３７の先端部にボールを用いた弁を設けた様子を示す断面図である。
【００６０】
図９に示すように、吸水管３７の先端部に全周に亘ってボールが落ちないようにするための傾斜部３７ａを内周の全周に亘って設け、その中に弁の役目をするボール３７ｃが配置されている。ボール３７ｃが最下端に位置するときにはこのボール３７ｃが傾斜部３７ａに密着して弁が閉じられるようになっている。
【００６１】
また、図８と同様に、ボール３７ｃの移動を一定の範囲に規制するために、吸水管３７の周に沿って複数の突起３７ｄを設けることが好ましい。
【００６２】
以上説明したように、本実施の形態に係る飲料容器１は、略半球状に形成された蓋部材２と底部材４とを合わせた略球状の外形を有している。そして、飲料を飲む場合には、蓋部材２を外して、押圧部材３３１を押し込むと一定量の飲料が中間貯水槽３４に供給されるので、これを飲み口である中間貯水槽３４の開口３４３から飲むようにする。
【００６３】
ここで、飲み口は、中間貯水槽３４に対して常に開いている開口３４３となっているが、飲料容器１を使用しない場合には、蓋部材２を被せることによって保護されている。
【００６４】
次に、この開口３４３に対して蓋をするとともに、より飲み易くするためのガイドとなる飲み口部材を取り付けた例について説明する。
【００６５】
図１０は、中間貯水槽３４の開口３４３に蓋を兼用する飲み口部材を取り付けた飲料容器１を示す断面図である。
【００６６】
図１０に示すように、この例では、中間貯水槽３４の開口３４３に対して、蓋をするとともにこれを開いた場合に飲むときのガイドとなる飲み口部材５が取り付けられている。また、飲み口部材５で蓋をした場合に、中間貯水槽３４の開口３４３を完全に閉じるように、中間貯水槽３４の上面３４ｂを前の例の場合よりも前方に延出させ、飲み口部材５と密着するようにしている。
【００６７】
図１１に、図１０における飲み口部材５の周辺を拡大して示す。図１１に示すように、飲み口部材５の上部には、飲み口部材５を開く際にこれを掴む取っ手５ａが設けられている。また、中間貯水槽３４の上面３４ｂの先端部の上側に突起３４ｃが設けられており、飲み口部材５を閉じるときは、これに飲み口部材５に設けられたフック５ｂを引っ掛かけて固定するようになっている。
【００６８】
また、飲み口部材５の下端部５ｃは、飲み口部材５の開閉を容易にするために丸みを持って形成されており、これと対向する中間貯水槽３４の側壁上端部３４ｄも、飲み口部材５の開閉を阻害しないように、凹状の湾曲した形状に形成することが好ましい。
【００６９】
図１２は、飲み口部材５の全体斜視図である。
【００７０】
図１２に示すように、飲み口部材５は、中間貯水槽３４の形状に合わせて多少湾曲した板状の部材であり、両側部５ｅが、飲み口部材５を閉じたときの密着性を高めるためと、開いて飲むときの飲み易さのために、多少盛り上げて形成されている。これにより、飲み口部材５から飲料を飲むときに、側部から飲料がこぼれるのを防ぐことができる。
【００７１】
また、両側部５ｅの下端部５ｃの外側には半球状の突起５ｄが形成され、これを中心に飲み口部材５が開閉するようになっている。また、飲み口部材５の上部中央には飲み口部材５を開く際の取っ手５ａが設けられ、破線で示したように内側には中間貯水槽３４の上面３４ｂに設けられた突起３４ｃと係合するフック５ｂが設けられている。
【００７２】
図１３は、飲み口部材５を受け入れる中間貯水槽３４の開口３４３を示す斜視図である。
【００７３】
図１３に示すように、前述した例では開いていた開口３４３の上部には、中間貯水槽３４の上面３４ｂが前方に延出されており、前端部中央には飲み口部材５のフック５ｂが係合する突起３４ｃが設けられている。
【００７４】
前方に延出した上面３４ｂの両側には飲み口部材５の両側部５ｅを受け入れるための切れ込み３４ｆが設けられている。また、開口３４３の両側の中間貯水槽３４の側壁には、飲み口部材５の半球状の突起５ｄを受け入れるための凹部３４ｅが形成されている。さらに、開口３４３の下側の面となる側壁上端部３４ｄは、内側より外側の方が下がるように凹に湾曲するように形成されている。
【００７５】
図１４は、開口３４３に飲み口部材５を取り付けた様子を示す斜視図である。
【００７６】
図１４に示すように、飲み口部材５を開口３４３に取り付けるときは、飲み口部材５の半球状の突起５ｄを開口３４３の両側の中間貯水槽３４の側壁に設けられた凹部３４ｅに嵌め込んで取り付ける。
【００７７】
なお、図１４は、飲み口部材５を閉じた状態であり、飲み口部材５の内側に設けられたフック５ｂが中間貯水槽３４の上面３４ｂに設けられた突起３４ｃに係合している。また、閉じた状態においては、飲み口部材５の両側部５ｅは、上面３４ｂに設けられた切れ込み３４ｆの中に納まっている。
【００７８】
図１５は、飲み口部材５を開いた状態を示す斜視図である。
【００７９】
図１５に示すように、飲料容器１から飲料を飲む場合には、飲み口部材５の取っ手５ａを持って、図の矢印Ｆのように飲み口部材５を手前に開く。このとき、飲み口部材５の半球状の突起５ｄが中間貯水槽３４の側壁の凹部３４ｅと係合した状態で飲み口部材５が回動する。飲み口部材５を開いたら、開口３４３を通して飲み口部材５をガイドとして中間貯水槽３４内の飲料を飲む。
【００８０】
以上、本発明の実施の形態について説明してきたが、本発明はこれらの実施の形態に限定されるものではない。本発明は、これらの他にも本発明の趣旨を逸脱しない範囲で上に説明した以外にも種々な変形が可能である。例えば、押圧部材３３１及びピストン３３を上方に付勢するコイルばね３３２の設置個所も、上記実施例に限定されず、シリンダ内部３２１の平板３１とピストン３３の底面との間に設けるようにしてもよい。また、飲み口部材５の形状や機構も上述したものに限定されるものではなく、他の形状や機構でもよい。また、上記実施の形態では、蓋部材２や底部材４を中間部材３に対してねじ込み式で取り付けるようにしていたが、適宜フックや突起とこれに対応する凹部を設けてこれらを嵌め合わせて取り付けるようにしてもよい。
【符号の説明】
【００８１】
１…飲料容器、２…蓋部材、２ａ…ねじ、３…中間部材、４…底部材、４ａ…ねじ、５…飲み口部材、５ａ…取っ手、５ｂ…フック、５ｃ…下端部、５ｄ…突起、５ｅ…両側部、３１…平板、３１ａ…段差部、３２…シリンダ、３３…ピストン（可動部材）、３３ａ…桟、３３ｂ…突起部、３３ｄ…突起、３４…中間貯水槽、３４ａ…ねじ、３４ｂ…中間貯水槽の上面、３４ｃ…突起、３４ｄ…上端部、３４ｅ…凹部、３４ｆ…切れ込み、３５…境界部、３７…吸水管、３７ａ…傾斜部、３７ｂ…弁、３７ｃ…ボール、３７ｄ…突起、３８…ストッパ、３２１…シリンダ内部、３３１…押圧部材、３３１ａ…凹部、３３２…コイルばね、３３３…溝、３３４…通水管、３３４ｃ…ボール、３３５…放水管、３４１…突起、３４２…貫通孔、３４３…開口
【図１】
2019213763.tif 000003
【図２】
2019213763.tif 000004
【図３】
2019213763.tif 000005
【図４】
2019213763.tif 000006
【図５】
2019213763.tif 000007
【図６】
2019213763.tif 000008
【図７】
2019213763.tif 000009
【図８】
2019213763.tif 000010
【図９】
2019213763.tif 000011
【図１０】
2019213763.tif 000012
【図１１】
2019213763.tif 000013
【図１２】
2019213763.tif 000014
【図１３】
2019213763.tif 000015
【図１４】
2019213763.tif 000016
【図１５】
2019213763.tif 000017
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
飲料を貯留する貯水槽を有する底部材と、
飲料の飲み口を備えた中間貯水槽及び前記貯水槽から一動作で一定量の飲料を該中間貯水槽に給水するポンプ部を備えた中間部材と、
前記中間貯水槽及びポンプ部を覆い保護する蓋部材とからなり、
前記ポンプ部は、その内部をピストンが摺動するシリンダと、前記ピストンを上方に付勢する付勢部材と、前記ピストンを下方に押圧するための押圧部材と、前記ピストンの動きに応じて、前記貯水槽から飲料を前記シリンダ内に吸水する吸水管と、前記ピストン内部に形成され前記シリンダ内の飲料を前記中間貯水槽に導く水路とを有して構成される飲料容器。
【請求項２】
前記蓋部材及び前記底部材は、それぞれ半球状を有し、
前記蓋部材及び前記底部材を前記中間部材に取り付けた際、全体が略球状となるように構成された請求項１に記載の飲料容器。
【請求項３】
前記中間貯水槽は、前記ポンプ部の所定回数分の動作に対応する飲料を貯留することができる請求項１または２に記載の飲料容器。
【請求項４】
前記蓋部材は、取り外すと飲料を飲むためのコップとして使用可能な請求項１〜３のいずれか１項に記載の飲料容器。
【請求項５】
前記底部材は、取り外して前記貯水槽の飲料を直接飲むことができる請求項１〜４のいずれか１項に記載の飲料容器。
【請求項６】
前記中間貯水槽に設けられた飲み口には、閉じたときには飲み口の蓋となるとともに、開いたときには飲むときのガイドとなる飲み口部材が設けられている請求項１〜５のいずれか１項に記載の飲料容器。
【手続補正２】
【補正対象書類名】明細書
【補正対象項目名】０００９
【補正方法】変更
【補正の内容】
【０００９】
本発明は、上記目的を達成するため、飲料を貯留する貯水槽を有する底部材と、飲料の飲み口を備えた中間貯水槽及び前記貯水槽から一動作で一定量の飲料を該中間貯水槽に給水するポンプ部を備えた中間部材と、前記中間貯水槽及びポンプ部を覆い保護する蓋部材とからなり、前記ポンプ部は、その内部をピストンが摺動するシリンダと、前記ピストンを上方に付勢する付勢部材と、前記ピストンを下方に押圧するための押圧部材と、前記ピストンの動きに応じて、前記貯水槽から飲料を前記シリンダ内に吸水する吸水管と、前記ピストン内部に形成され前記シリンダ内の飲料を前記中間貯水槽に導く水路とを有して構成される飲料容器を提供する。
【手続補正３】
【補正対象書類名】明細書
【補正対象項目名】００１９
【補正方法】変更
【補正の内容】
【００１９】
中間部材３の平板３１の上側のシリンダ３２の周囲には中間貯水槽３４が形成されている。中間貯水槽３４は、側面及び上面により完全に一つの部屋として形成されており、その一部に飲料を飲むための飲み口となる開口３４３が形成されている。また中間部材３の平板３１の略中央部には、シリンダ３２とは反対側に向かって吸水管３７が形成されている。これは底部材４内に貯留されている飲料をシリンダ内部３２１に吸い上げるためのものである。
【手続補正４】
【補正対象書類名】明細書
【補正対象項目名】００２０
【補正方法】変更
【補正の内容】
【００２０】
中間貯水槽３４と押圧部材３３１の間にシリンダ３２を取り囲むようにコイルばね３３２が設けられている。コイルばね３３２は、例えばステンレス等の金属材料で形成され、押圧部材３３１（及びピストン３３）を図の上方に付勢している。図２は、押圧部材３３１を下まで押し込んでコイルばね３３２が圧縮された状態を示している。
【手続補正５】
【補正対象書類名】明細書
【補正対象項目名】００５１
【補正方法】変更
【補正の内容】
【００５１】
図７（ａ）に示すように、弁３３４ｂは、シリンダ３２に設けられた通水管３３４の入り口に設置されている。弁３３４ｂは、通水管３３４の一方の端部壁面に軸３３４ｃの周りに回動可能に設けられている。また、弁３３４ｂの先端部が通水管３３４の他方の端部壁面に設けられた桟３３ａに密着して弁３３４ｂを綴じるようになっている。